【手続補正書】
【提出日】平成15年10月24日(2003.10.24)
【手続補正１】
【補正対象書類名】明細書
【補正対象項目名】特許請求の範囲
【補正方法】変更
【補正の内容】
【特許請求の範囲】
【請求項１】
記録材を積載する記録材積載部を着脱可能な画像形成装置において、
記録材にトナー画像を形成する画像形成手段と、
前記記録材に形成されたトナー画像を前記記録材に定着させる定着手段と、
任意のサイズの記録材を積載可能な前記記録材積載部に積載される記録材のサイズを設定するサイズ設定手段と、
前記定着手段を複数の制御状態のいずれかで制御する制御手段であって、前記サイズ設定手段により設定された前記サイズが所定サイズより大きいか否かで異なる前記制御状態で前記定着手段を制御する制御手段とを有することを特徴とする画像形成装置。
【請求項２】
前記定着手段は前記記録材を加熱する複数の加熱部を有し、
前記制御手段は、前記複数の加熱部の加熱状態を異ならせることで前記定着手段を前記複数の制御状態のいずれかで制御することを特徴とする請求項１に記載の画像形成装置。
【請求項３】
前記記録材積載部が画像形成装置に装着されたか否かを検知する検知手段と、
前記サイズ設定手段により設定された記録材のサイズを記憶する記憶手段とを備え、
前記制御手段は、前記検知手段が前記任意のサイズの記録材を積載可能な記録材積載部が画像形成装置に装着されたことを検知したことに応じて前記記憶手段に記憶された前記記録材のサイズを読み出すとともに、該サイズが所定サイズより大きいか否かで異なる前記制御状態で前記定着手段を制御することを特徴とする請求項１に記載の画像形成装置。
【請求項４】
前記制御手段は、前記任意のサイズの記録材を積載可能な記録材積載部に積載された記録材に画像を形成する場合であって前記サイズ設定手段により前記任意のサイズの記録材を積載可能な記録材積載部に積載される記録材のサイズが設定されていない場合は、前記画像形成手段による画像形成を開始させないことを特徴とする請求項１に記載の画像形成装置。
【請求項５】
記録材を積載する記録材積載部を着脱可能な画像形成装置において、
記録材にトナー画像を形成する画像形成手段と、
前記記録材を前記画像形成手段へ搬送する搬送手段と、
任意のサイズの記録材を積載可能な前記記録材積載部に積載される記録材のサイズを設定するサイズ設定手段と、
前記搬送手段を複数の制御状態のいずれかで制御する制御手段であって、前記サイズ設定手段により設定された前記サイズが所定サイズより大きいか否かで異なる前記制御状態で前記搬送手段を制御する制御手段とを有することを特徴とする画像形成装置。
【請求項６】
記録材を積載する記録材積載部を着脱可能な画像形成装置において、
記録材に画像を形成すべく、所定範囲に画像を形成する画像形成手段と、
任意のサイズの記録材を積載可能な前記記録材積載部に積載される記録材のサイズを設定するサイズ設定手段と、
前記サイズ設定手段が設定した前記記録材のサイズに応じて前記所定範囲を決定する決定手段と、
前記記録材積載部が画像形成装置に装着されたか否かを検知する検知手段と、
前記検知手段が画像形成装置に前記任意のサイズの記録材を積載可能な記録材積載部が装着されたことを検知したことに応じて、記録材の前記所定範囲に所定のテスト画像を形成するよう前記画像形成手段を制御する制御手段とを有することを特徴とする画像形成装置。
【請求項７】
前記サイズ設定手段が設定する記録材のサイズに関する情報を出力する出力手段を有することを特徴とする請求項１乃至６のいずれかに記載の画像形成装置。
【手続補正２】
【補正対象書類名】明細書
【補正対象項目名】０００１
【補正方法】変更
【補正の内容】
【０００１】
【発明の属する技術分野】
本発明は、記録材を積載する記録材積載部を着脱可能な画像形成装置に関する。


【手続補正３】
【補正対象書類名】明細書
【補正対象項目名】０００９
【補正方法】変更
【補正の内容】
【０００９】
本発明の第１の目的は、設定した記録材のサイズに応じた複雑な定着手段の制御を行う必要がない画像形成装置を提供することにある。


【手続補正４】
【補正対象書類名】明細書
【補正対象項目名】００１０
【補正方法】変更
【補正の内容】
【００１０】
本発明の第２の目的は、設定した記録材のサイズに応じた複雑な搬送手段の制御を行う必要がない画像形成装置を提供することにある。


【手続補正５】
【補正対象書類名】明細書
【補正対象項目名】００１１
【補正方法】変更
【補正の内容】
【００１１】
本発明の第３の目的は、設定された記録材のサイズが実際の記録材のサイズに適合したものであるか否かを容易に確認することができる画像形成装置を提供することにある。


【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
【課題を解決するための手段】
本発明は、記録材を積載する記録材積載部を着脱可能な画像形成装置において、記録材にトナー画像を形成する画像形成手段と、前記記録材に形成されたトナー画像を前記記録材に定着させる定着手段と、任意のサイズの記録材を積載可能な前記記録材積載部に積載される記録材のサイズを設定するサイズ設定手段と、前記定着手段を複数の制御状態のいずれかで制御する制御手段であって、前記サイズ設定手段により設定された前記サイズが所定サイズより大きいか否かで異なる前記制御状態で前記定着手段を制御する制御手段とを有することを特徴とする。


【手続補正８】
【補正対象書類名】明細書
【補正対象項目名】００１４
【補正方法】変更
【補正の内容】
【００１４】
本発明は、記録材を積載する記録材積載部を着脱可能な画像形成装置において、記録材にトナー画像を形成する画像形成手段と、前記記録材を前記画像形成手段へ搬送する搬送手段と、任意のサイズの記録材を積載可能な前記記録材積載部に積載される記録材のサイズを設定するサイズ設定手段と、前記搬送手段を複数の制御状態のいずれかで制御する制御手段であって、前記サイズ設定手段により設定された前記サイズが所定サイズより大きいか否かで異なる前記制御状態で前記搬送手段を制御する制御手段とを有することを特徴とする。
【手続補正９】
【補正対象書類名】明細書
【補正対象項目名】００１５
【補正方法】変更
【補正の内容】
【００１５】
本発明は、記録材を積載する記録材積載部を着脱可能な画像形成装置において、記録材に画像を形成すべく、所定範囲に画像を形成する画像形成手段と、任意のサイズの記録材を積載可能な前記記録材積載部に積載される記録材のサイズを設定するサイズ設定手段と、前記サイズ設定手段が設定した前記記録材のサイズに応じて前記所定範囲を決定する決定手段と、前記記録材積載部が画像形成装置に装着されたか否かを検知する検知手段と、前記検知手段が画像形成装置に前記任意のサイズの記録材を積載可能な記録材積載部が装着されたことを検知したことに応じて、記録材の前記所定範囲に所定のテスト画像を形成するよう前記画像形成手段を制御する制御手段とを有することを特徴とする。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】０１９７
【補正方法】変更
【補正の内容】
【０１９７】
【発明の効果】
以上に説明したように、本発明の画像形成装置によれば、任意のサイズの記録材を積載可能な記録積載部に積載される記録材のサイズを設定するサイズ設定手段を有するとともに、サイズ設定手段により設定された記録材のサイズが所定サイズより大きいか否かで異なる制御状態で定着手段を制御するので、サイズ設定手段が設定した記録材のサイズに応じた複雑な定着手段の制御を行う必要がない。
【手続補正４６】
【補正対象書類名】明細書
【補正対象項目名】０１９８
【補正方法】変更
【補正の内容】
【０１９８】
また、本発明の画像形成装置によれば、任意のサイズの記録材を積載可能な記録積載部に積載される記録材のサイズを設定するサイズ設定手段を有するとともに、サイズ設定手段により設定された記録材のサイズが所定サイズより大きいか否かで異なる制御状態で搬送手段を制御するので、サイズ設定手段が設定した記録材のサイズに応じた複雑な搬送手段の制御を行う必要がない。
【手続補正４７】
【補正対象書類名】明細書
【補正対象項目名】０１９９
【補正方法】変更
【補正の内容】
【０１９９】
また、本発明の画像形成装置によれば、任意のサイズの記録材を積載可能な記録材積載部が画像形成装置に装着されたか否かを検知する検知手段と、検知手段が画像形成装置に任意のサイズの記録材を積載可能な記録材積載部が装着されたことを検知したことに応じて、記録材の前記所定範囲に所定のテスト画像を形成するよう前記画像形成手段を制御するので、サイズ設定手段により設定された記録材のサイズが実際の記録材のサイズに適合したものであるか否かを容易に確認することができる。
【手続補正４８】
【補正対象書類名】明細書
【補正対象項目名】０２００
【補正方法】削除
【補正の内容】
【手続補正４９】
【補正対象書類名】明細書
【補正対象項目名】０２０１
【補正方法】削除
【補正の内容】
【手続補正５０】
【補正対象書類名】明細書
【補正対象項目名】０２０２
【補正方法】削除
【補正の内容】
【手続補正５１】
【補正対象書類名】明細書
【補正対象項目名】０２０３
【補正方法】削除
【補正の内容】
【手続補正５２】
【補正対象書類名】明細書
【補正対象項目名】０２０４
【補正方法】削除
【補正の内容】
【手続補正５３】
【補正対象書類名】明細書
【補正対象項目名】０２０５
【補正方法】削除
【補正の内容】
【手続補正５４】
【補正対象書類名】明細書
【補正対象項目名】０２０６
【補正方法】削除
【補正の内容】
【手続補正５５】
【補正対象書類名】明細書
【補正対象項目名】０２０７
【補正方法】削除
【補正の内容】
【手続補正５６】
【補正対象書類名】明細書
【補正対象項目名】０２０８
【補正方法】削除
【補正の内容】
【手続補正５７】
【補正対象書類名】明細書
【補正対象項目名】０２０９
【補正方法】削除
【補正の内容】
【手続補正５８】
【補正対象書類名】明細書
【補正対象項目名】０２１０
【補正方法】削除
【補正の内容】
【手続補正５９】
【補正対象書類名】明細書
【補正対象項目名】０２１１
【補正方法】削除
【補正の内容】
【手続補正６０】
【補正対象書類名】明細書
【補正対象項目名】０２１２
【補正方法】削除
【補正の内容】
【手続補正６１】
【補正対象書類名】明細書
【補正対象項目名】０２１３
【補正方法】削除
【補正の内容】
【手続補正６２】
【補正対象書類名】明細書
【補正対象項目名】０２１４
【補正方法】削除
【補正の内容】
【手続補正６３】
【補正対象書類名】明細書
【補正対象項目名】０２１５
【補正方法】削除
【補正の内容】
【手続補正６４】
【補正対象書類名】明細書
【補正対象項目名】０２１６
【補正方法】削除
【補正の内容】
【手続補正６５】
【補正対象書類名】明細書
【補正対象項目名】２１７
【補正方法】削除
【補正の内容】
【手続補正６６】
【補正対象書類名】明細書
【補正対象項目名】０２１８
【補正方法】削除
【補正の内容】
【手続補正６７】
【補正対象書類名】明細書
【補正対象項目名】０２１９
【補正方法】削除
【補正の内容】
【手続補正６８】
【補正対象書類名】明細書
【補正対象項目名】０２２０
【補正方法】削除
【補正の内容】
【手続補正６９】
【補正対象書類名】明細書
【補正対象項目名】０２２１
【補正方法】削除
【補正の内容】
【手続補正７０】
【補正対象書類名】明細書
【補正対象項目名】０２２２
【補正方法】削除
【補正の内容】
【手続補正７１】
【補正対象書類名】明細書
【補正対象項目名】０２２３
【補正方法】削除
【補正の内容】
【手続補正７２】
【補正対象書類名】明細書
【補正対象項目名】０２２４
【補正方法】削除
【補正の内容】
【手続補正７３】
【補正対象書類名】明細書
【補正対象項目名】０２２５
【補正方法】削除
【補正の内容】
【手続補正７４】
【補正対象書類名】明細書
【補正対象項目名】０２２６
【補正方法】削除
【補正の内容】
【手続補正７５】
【補正対象書類名】明細書
【補正対象項目名】０２２７
【補正方法】削除
【補正の内容】
【手続補正７６】
【補正対象書類名】明細書
【補正対象項目名】０２２８
【補正方法】削除
【補正の内容】
【手続補正７７】
【補正対象書類名】明細書
【補正対象項目名】０２２９
【補正方法】削除
【補正の内容】
【手続補正７８】
【補正対象書類名】明細書
【補正対象項目名】０２３０
【補正方法】削除
【補正の内容】
【手続補正７９】
【補正対象書類名】明細書
【補正対象項目名】０２３１
【補正方法】削除
【補正の内容】
【手続補正８０】
【補正対象書類名】明細書
【補正対象項目名】０２３２
【補正方法】削除
【補正の内容】
【手続補正８１】
【補正対象書類名】明細書
【補正対象項目名】０２３３
【補正方法】削除
【補正の内容】